(57)【要約】【課題】本考案は、空調熱源システムにおける、蓄熱槽を利用する開放型冷温水循環システムにおいて、低損失型熱交換器を組み合わせることにより、低圧力損失の密閉型冷温水循環システムを構成し、循環ポンプ出力のトータル出力を削減し、省エネルギーを図ろうとするものである。【解決手段】本考案は開放型冷温水循環システムに、低温度差（１次水と２次水の温度差  １℃  以下）であり、高効率（熱交換率  ９９．５％  以上）であって、かつ低圧力損失（１次側圧力損失ＨＸ１  ３ｍ  以下、  ２次側圧力損失  ＨＸ２  ３ｍ  以下）である、低損失型熱交換器を組み合わせることにより、低圧力損失の密閉型冷温水循環システムを構成し、循環ポンプ出力のトータル出力を削減した、省エネルギー型空調用冷温水循環システム。【選択図】    図１
0003101981.tif 000002
【実用新案登録請求の範囲】
【請求項１】
空調熱源システムにおける、蓄熱槽を利用する開放型冷温水循環システムにおいて、省エネルギーを図る目的で循環ポンプのトータル出力を削減するため、低温度差（１次水と２次水の温度差１℃  以下）であり、高効率（熱交換率  ９９．５％  以上）であって、かつ低圧力損失（１次側圧力損失  ３ｍ  以下、  ２次側圧力損失  ３ｍ  以下）である、低損失型熱交換器を組み合わせることにより、低圧力損失の密閉型冷温水循環システムを構成し、循環ポンプ出力のトータル出力を削減した，省エネルギー型空調用冷温水循環システム。
【考案の詳細な説明】
【技術分野】
【０００１】本考案は、低温度差であり、高効率であって、かつ低圧力損失である、低損失型熱交換器を組み合わせることにより、低圧力損失の密閉型冷温水循環システムを構成し、循環ポンプ出力のトータル出力を削減した，省エネルギー型空調用冷温水循環システムである。
【背景技術】
【０００２】従来、熱交換器の機能は、
異なる２流体を混合させない流体分離機能、
開放系統と密閉系統など運転圧力の異なる系統を構成したり，落水防止や熱源機器の保護を目的として背圧除去、圧力遮断を行う圧力調整機能、
２次側流体に１次側流体の汚れを混合させない汚れ防止機能、
２次側流体に１次側流体の腐食成分を混合させない腐食防止機能、
を目的として利用され、その目的にあったものが使用されていた。
空調用冷温水循環システムにおいて、省エネルギーを目的として、循環ポンプ出力のトータル出力を削減するため低温度差であり、高効率であって、かつ低圧力損失である、低損失型熱交換器を組み合わせた、低圧力損失の密閉型冷温水循環システムは実施されていない。
【考案の開示】
【考案が解決しようとする課題】
【０００３】地球環境保護のため，省エネルギーの推進は国の緊急の課題である。ここに、空調用冷温水循環システムにおいて、省エネルギーを目的として、低損失型熱交換器を組み合わせ、循環ポンプ出力のトータル出力を大幅に削減しようとするものである。
これまで、この考えが進展しなかったのは、低損失型熱交換器の製作費は高価になるのではないか、又、循環ポンプ出力のトータル出力が，かえって大きくなるのではないか、との問題があり、これまで、低温度差であり、高効率であって、かつ低圧力損失である熱交換器が、この目的で利用されていなかった。
本考案は、循環ポンプ出力のトータル出力を大幅に削減し、循環ポンプのランニングコストの削減により、熱交換器や配管等の費用を生み出し、更に、省エネルギーを実現しようとするものである。
【課題を解決するための手段】
【０００４】空調熱源システムにおける、蓄熱槽を利用する開放型冷温水循環システムにおいて、省エネルギーを図る目的で循環ポンプのトータル出力を削減するため、低温度差（１次水と２次水の温度差１℃以下）であり、高効率（熱交換率  ９９．５％  以上）であって、かつ低圧力損失（１次側圧力損失  ３ｍ  以下、  ２次側圧力損失  ３ｍ  以下）である、低損失型熱交換器を組み合わせることにより、低圧力損失の密閉型冷温水循環システムを構成し、循環ポンプ出力のトータル出力を大幅に削減した，省エネルギー型空調用冷温水循環システムを構成するものである。
【考案の効果】
【０００５】循環ポンプ出力のトータル出力の削減量は次のようになる、
一般的にポンプの出力は、
【数１】
0003101981.tif 000003
開放型冷温水循環システムにおける循環ポンプ出力は，
【数２】
0003101981.tif 000004
密閉型冷温水循環システムにおける循環ポンプ出力は、
【数３】
0003101981.tif 000005
この式で  ＨＬ０は、ほぼ  ＨＬ１＋ＨＬ２であるため、循環ポンプのトータル出力の差は、
ＨＨ１    ＞    ＨＨ２＋（ＨＸ１＋ＨＸ２）              となる
このため熱交換器の圧力損失（ＨＸ１＋ＨＸ２）が小さいほうが、より省エネルギーとなる。
これまで、循環ポンプ出力のトータル出力削減のための目的で、熱交換器が利用されていなかったため、  （ＨＸ１＋ＨＸ２）が大幅に小さいものは普及していなかったが、低損失型熱交換器が比較的安価に製作が出来るため、この考案が産業上利用可能となった。
ＨＨ１に対して  ＨＨ２＋（ＨＸ１＋ＨＸ２）  が充分に小さければ、循環ポンプ出力のトータル出力を大幅に削減することが可能となる。
【考案の実施するための最良の形態】
【０００６】開放型冷温水循環システムに、低損失型熱交換器を組み合わせることにより、低圧力損失の密閉型冷温水循環システムを構成し、循環ポンプ出力のトータル出力を削減する。
低損失型熱交換器の仕様は、
低温度差  １次水と２次水の温度差  １℃  以下（温度差が大きいと利用できない。）
高効率    熱交換率  ９９．５％  以上（熱交換率が低いと省エネルギーにならない。）
低圧力損失  １次側圧力損失  ＨＸ１  ３ｍ  以下、  ２次側圧力損失  ＨＸ２  ３ｍ  以下（圧力損失が大きいと循環ポンプ出力のトータル出力を大幅に削減することが出来ない。）
【実施例】
【０００７】低圧力損失型熱交換器（ＨＸ１  ３ｍ、  ＨＸ２  ３ｍ）を組み合わせた場合
ＨＨ１  ３０ｍ  ＨＬ０  ２０ｍ    ＨＨ２  ３ｍ  ＨＬ１  ５ｍ  ＨＬ２  １５ｍ    の場合で、
循環ポンプ（Ｑ＝１，８００Ｌ／ｍｉｎ＝０．０３ｍ３／ｓ８台    の場合、
開放型冷温水循環システムにおける循環ポンプ出力は、
【数４】
0003101981.tif 000006
密閉型冷温水循環システムにおける循環ポンプ出力のトータル出力は、
【数５】
0003101981.tif 000007
循環ポンプ出力のトータル出力の削減量は、Δ  １３．５（ｋＷ）×８台＝Δ  １０８（ｋＷ）
年間電力削減量は、低圧力損失型熱交換器（Ｈｘ１  ３ｍ、  ＨＸ２  ３ｍ）を組み合わせた場合
Δ１０８（ｋＷ）×２４時間×３６５日×０．３（稼働率）＝Δ２８３，０００（ｋＷｈ）
電力削減量は、１０８（ｋＷ）、  電力量削減量は、２８３，０００（ｋＷｈ／年）程度となる。
【図面の簡単な説明】
【０００８】
【図１】開放型冷温水循環システムに、低損失型熱交換器を組み合わせることにより、低圧力損失の密閉型冷温水循環システムを構成し、循環ポンプ出力のトータル出力を削減するための省エネルギー型空調用冷温水循環システム。
【図２】空調熱源システムにおける、蓄熱槽を利用する開放型冷温水循環システム。
【符号の説明】
【０００９】  Ｐ１    密閉型冷温水循環システムにおける１次ポンプ（出力）
Ｐ２    密閉型冷温水循環システムにおける２次ポンプ（出力）
ＨＨ２  密閉型冷温水循環システムにおける１次ポンプの実揚程（ｍ）
ＨＬ１  密閉型冷温水循環システムにおける１次側損失水頭（ｍ）
ＨＬ２  密閉型冷温水循環システムにおける２次側損失水頭（ｍ）
ＨＸ１  熱交換器の１次側圧力損失（ｍ）
ＨＸ２  熱交換器の２次側圧力損失（ｍ）
Ｐ０    開放型冷温水循環システムにおける循環ポンプ（出力）
ＨＨ１  開放型冷温水循環システムにおける実揚程（ｍ）
ＨＬ０  開放型冷温水循環システムにおける損失水頭（ｍ）
【図１】
0003101981.tif 000008
【図２】
0003101981.tif 000009
【手続補正書】
【提出日】平成16年1月8日(2004.1.8)
【手続補正１】
【補正対象書類名】実用新案登録請求の範囲
【補正対象項目名】請求項１
【補正方法】変更
【補正の内容】
【請求項１】
空調熱源システムにおける、蓄熱槽を利用する開放型冷温水循環システムにおいて、省エネルギーを図る目的で循環ポンプのトータル出力を削減するため、１次水と２次水の温度差が  １℃  以下であり、熱交換率が  ９９．５％  以上であって、かつ１次側圧力損失が  ３ｍ  以下，２次側圧力損失が  ３ｍ  以下である、低損失型熱交換器を組み合わせることにより、低圧力損失の密閉型冷温水循環システムを構成し、循環ポンプ出力のトータル出力を削減した、省エネルギー型空調用冷温水循環システム。